(57)【特許請求の範囲】
【請求項１】
ゴム質材よりなる縁のない矩形状のマット本体と、このマット本体の四方の縁辺部にそれぞれ着脱自在に取付けられる一定幅と厚みを有し、且つ、幅方向の中間部における長さを上記マット本体の一辺の長さに等しい長さに形成されている硬質合成樹脂成形品からなる４本の縁枠材とからなり、各縁枠材は、その長さ方向の両端面を縁枠材の内側壁面部から外側壁面部に向かって４５度の角度でもって外方に傾斜した傾斜端面に形成していると共に、上記マット本体の四方縁辺部における前後又は左右に互いに平行に配置される２本の縁枠材の両端傾斜端面の中央部に、先端に向かって徐々に幅広くなる平面台形状に形成された凸部を突設している一方、他方の２本の縁枠材の両端傾斜端面の中央部に、上記凸部を下面側から係合させる下向きに開口した横断面蟻溝形状の凹部を形成してマット本体の四方隅角部において対向する縁枠材の対向傾斜端面を上記凸部と凹部との係合により互いに直角に連結させるように構成してあり、さらに、各縁枠材の下面における上記内側壁面部にマット本体の縁辺部を挿入させる切欠部を設けていると共にこの切欠部の奥底側にマット本体の端面を受止する当接面を形成している一方、外側壁面部を切欠部よりも下方に突出させてその下端面をマット本体の周囲の載置面に受止させるように構成してあり、各縁枠材における上記内側壁面部の垂直な面を牌揃え面に形成していると共に上面部に長さ方向に一定間隔毎に百点棒、千点棒、五千点棒、一万点棒の収納凹所を仕切壁を介して形成していることを特徴とする麻雀ゲーム用マット。
【請求項２】
マット本体はスチレンブタジエンゴムからなり、その上面全面に薄い布地を一体に貼着していると共に四方周辺部に縁枠材を取り付けていることを特徴とする請求項１に記載の麻雀ゲーム用マット。
【請求項３】
縁枠材の点棒収納凹所の外底面に仕切壁の垂直下方に位置させて補強片を設けてあり、これらの補強片に、切欠部に向かって開口したピン係止孔を穿設している一方、マット本体の四方周縁部における少なくとも互いに平行する縁辺部に上記ピン係止孔に対応させてピン挿通孔を貫設してあり、マット本体の縁辺部に載置した縁枠材の上記ピン係止孔にマット本体の下面からピン挿通孔を通じてピンを挿入、係止させるように構成していることを特徴とする請求項１又は請求項２に記載の麻雀ゲーム用マット。
【発明の詳細な説明】
【０００１】
【発明の属する技術分野】
本発明は、一般家庭等においてテーブル上に載置して簡易に使用できる麻雀ゲーム用マットに関するものである。
【０００２】
【従来の技術】
従来からこの種の麻雀ゲーム用マットとしては、一定厚みを有するゴム質材からなる矩形状のマット本体の上面四方周縁部に、マット本体よりも硬いゴム質材からなる縁枠部を一体に固着してなるものが広く知られており、不使用時にはマットを巻いたり折り曲げることによってコンパクトな形態にして保管や携行等を容易にし、使用時にはマットをテーブルの天板上に展開して麻雀ゲームを行うように構成している。
【０００３】
【発明が解決しようとする課題】
しかしながら、上記のマットにおいては、マット本体の四方周縁部に硬いゴム質材からなる縁枠部を一体に設けているために、巻いたり折り曲げた際に、該縁枠部が抵抗して小さく巻き込んだり折り曲げることができず、そのため、保管や携行に支障が生じる虞れがあると共に、マットに巻き癖がついて使用時に展開すると波打ち状になり、特に、巻き付けたマットの両端縁部が上方に湾曲して捲れ上がった状態となってテーブル上から離間し、洗牌や積牌が困難となって円滑な麻雀ゲームが円滑に行えなくなるという問題点があった。また、汚れをきれいに拭き取ることが困難であり、ゲーム後の手入れが煩わしくなるという問題点があった。
【０００４】
一方、マット本体を縁無しに形成してその四方周縁部の中央部に縁枠を着脱自在に取付けるように構成したマットも考案されているが、縁枠同士は互いにその対向端部間を連結することなく単独的に取付けるようにしているため、上記の巻き癖による縁部の浮き上がりを押さえることが困難となり、その上、マット本体の四方隅角部側には縁枠が設けられていないために、洗牌時に牌が外部に飛び出す虞れがある。また、マット本体の周縁部の中央に縁枠を正確に位置付けで取付けるには、手間を要するばかりでなく、縁枠とは別にこの縁枠をマット本体の周縁部に固定するための部材を必要となる。
【０００５】
さらに、この部材を紛失したりすると縁枠の取付けができなくなり、麻雀ゲームを行えないという問題点がある。また、上記いずれの麻雀用マットにおいてもゲーム時に麻雀牌の収納箱を持ち点棒の収納箱として利用せざるを得ず、その収納箱を競技者の側部の畳や床面上にランダムにおいて競技を行っているために、円滑な点棒の受け渡しができないばかりでなく、他人の点棒収納箱と間違う虞れがあり、その上、持ち点の確認が容易に行うことができないという問題点があった。
【０００６】
本発明は上記のような問題点に鑑みてなされたもので、その目的とするところは、不使用時に小さく巻いてコンパクトにしておくことができるばかりでなく、使用時には波打ちや縁部の湾曲、捲れを生じさせることなく全面的に平坦な面に保形して、安定した状態で円滑な麻雀ゲームを行うことができ、その上、簡単且つ正確に組み立てることができると共に、麻雀牌の収納箱を利用することなく、競技者の手前に点棒を収納しておくことができ、また、汚れを容易に拭き取ることができる麻雀ゲーム用マットを提供するにある。
【０００７】
【課題を解決するための手段】
上記目的を達成するために本発明の請求項１に係る麻雀用マットは、ゴム質材よりなる縁のない矩形状のマット本体と、このマット本体の四方の縁辺部にそれぞれ着脱自在に取付けられる一定幅と厚みを有し、且つ、幅方向の中間部における長さを上記マット本体の一辺の長さに等しい長さに形成されている硬質合成樹脂成形品からなる４本の縁枠材とからなり、各縁枠材は、その長さ方向の両端面を縁枠材の内側壁面部から外側壁面部に向かって４５度の角度でもって外方に傾斜した傾斜端面に形成していると共に、上記マット本体の四方縁辺部における前後又は左右に互いに平行に配置される２本の縁枠材の両端傾斜端面の中央部に、先端に向かって徐々に幅広くなる平面台形状に形成された凸部を突設している一方、他方の２本の縁枠材の両端傾斜端面の中央部に、上記凸部を下面側から係合させる下向きに開口した横断面蟻溝形状の凹部を形成してマット本体の四方隅角部において対向する縁枠材の対向傾斜端面を上記凸部と凹部との係合により互いに直角に連結させるように構成してあり、さらに、各縁枠材の下面における上記内側壁面部にマット本体の縁辺部を挿入させる切欠部を設けていると共にこの切欠部の奥底側にマット本体の端面を受止する当接面を形成している一方、外側壁面部を切欠部よりも下方に突出させてその下端面をマット本体の周囲の載置面に受止させるように構成してあり、各縁枠材における上記内側壁面部の垂直な面を牌揃え面に形成していると共に上面部に長さ方向に一定間隔毎に百点棒、千点棒、五千点棒、一万点棒の収納凹所を仕切壁を介して形成していることを特徴とする。
【０００８】
また、請求項２に係る発明は、マット本体をスチレンブタジエンゴムから形成し、その上面全面に薄い布地を一体に貼着していると共に四方周辺部に縁枠材を取り付けていることを特徴とする。
【０００９】
さらに、請求項３に係る発明は、縁枠材の点棒収納凹所の外底面に仕切壁の垂直下方に位置させて補強片を設けてあり、これらの補強片に上記切欠部に向かって開口したピン係止孔を穿設している一方、マット本体の四方周縁部における少なくとも互いに平行する縁辺部に上記ピン係止孔に対応させてピン挿通孔を貫設してあり、マット本体の縁辺部に載置した縁枠材の上記ピン係止孔にマット本体の下面からピン挿通孔を通じてピンを挿入、係止させるように構成していることを特徴とするものである。
【００１０】
【作用効果】
マット本体が縁無しであるから、不使用時には、マット本体の四方周縁部から縁枠材を取り外してマット本体と縁枠材とを分離させ、マット本体を小さく巻き付けて縁枠材と共に引き揃えた状態にして保管或いは携行することができる。この場合、縁枠材を芯材としてその周囲にマット本体を巻き付ければ、一層、携行等が容易に行えるコンパクトな形態にすることができる。
【００１１】
使用時には、マット本体を展開させてテーブル上に載置し、その四方周縁部上に縁枠材をそれぞれ配置する。この際、マット本体の隅角部において直角に隣接する縁枠材の対向傾斜端面に設けている凸部と凹部とは、それぞれ先端に向かって徐々に幅広くなる平面台形状と、下向きに開口した横断面蟻溝形状とに形成されているため、対向傾斜端面同士は互いに水平方向に分離不能となるように直角に連結すると共に、マット本体の四方縁辺部における前後又は左右に互いに平行に配置される２本の縁枠材の両端傾斜端面の中央部に上記凸部を突設している一方、他方の２本の縁枠材の両端傾斜端面の中央部に上記下向きに開口した横断面蟻溝形状の凹部を形成しているので、凸部を設けている縁枠材をマット本体の縁辺部上に配設した状態で凹部を設けている縁枠材をその凹部が凸部に被せるようにして降ろすことにより簡単に凸部と凹部とを係合させることができ、マット本体の四方周縁部に額縁形状の縁枠を簡単且つ正確に形成することができる。このようにマット本体の四方周縁部に縁枠材を配して互いにその対向端部を連結させると、マット本体の巻き付け開始側縁辺部と巻き付け完了側縁辺部とに生じている巻き癖による捲り上がりによってこれらの縁辺部上に載置する縁枠材がその自重にもかかわらず浮き上がろうとしても、これらの縁枠材に直角に連結した縁枠材によってその浮き上がりが抑止され、マット本体に波打ちを生じさせることなく、全面的に平坦な面に保持してテーブル上に安定した状態で展開、載置させておくことができる。
【００１２】
従って、洗牌や積牌が容易に行えると共にマット本体の四方周縁部が縁枠材によって囲繞されているから、洗牌時等において牌がマット外に飛び出すのを防止することができ、その上、各縁枠材の内側壁面によって形成されている牌揃え面が常に垂直な状態を維持して積牌や配牌時における牌揃えが正確且つ容易に行える。
【００１３】
一方、請求項２に係る発明によれば、マット本体をスチレンブタジエンゴムから形成しているので、汚れが付きにくくて手入れが容易となるばかりでなく、従来のゴム質製のマットに比べて一層、柔軟性に富み、マット本体に皺寄せや波打ちが生じることなく小さく丸めこんでコンパクトにすることができると共に使用時に展開しても波打ちや巻き癖が生じることなく全面的に平坦な面となるように展開することができてゲームが円滑に行うことができるものである。
【００１４】
また、本発明によれば、各縁枠材の下面における内側壁面部にマット本体の縁辺部を挿入させる切欠部を設けていると共にこの切欠部の奥底側にマット本体の端面を受止する当接面を形成している一方、外側壁面部を切欠部よりも下方に突出させてその下端面をマット本体の周囲の載置面に受止させるように構成しているので、マット本体の四方周縁部に縁枠材を装着する際に、縁枠材の内側部の下面切欠部をマット本体の縁辺部上面に載せると共に該切欠部の奥底側に設けている当接面にマット本体の端面を受止させることによって、マット本体の周縁部に縁枠材を簡単かつ正確に配置することができる。
【００１５】
その上、縁枠材の外側部がマット本体の縁辺から外側に突出してその下面をテーブル面に載置させた状態となり、従って、縁枠材の自重によるマット押さえ力が増大してマット本体の周縁部の浮き上がりを確実に阻止し得ると共に、マット本体の四方端面に縁枠材の上記当接面が当接しているから、額縁状に組み立てた縁枠がマット本体に対して平面方向にずれることがなく、そのため、適宜な固定部材を必ずしも使用することなく、マット本体に対する縁枠材の水平方向のずれを確実に防止した状態で縁枠材をマット本体の四方周縁に常に正確に装着した状態に保持しておくことができる。
【００１６】
さらに、上記各縁枠材は硬質合成樹脂成形品であって、その上面部に長さ方向に一定間隔毎に百点棒、千点棒、五千点棒、一万点棒の収納凹所を仕切壁を介して形成しているから、ゲーム時に麻雀牌の収納箱を持ち点棒の収納箱として利用する必要はなく、縁枠材に設けている収納凹所に点棒を収納して麻雀ゲームを円滑に行うことができると共に、競技者の手前の縁枠材に設けている収納凹所内に各自の点棒を点数の応じて別々に収納しておくことができるので、点棒の受け渡しが円滑に行えると共に持ち点の確認も容易且つ正確に行うことができる。
【００１７】
請求項３に係る発明によれば、上記縁枠材の点棒収納凹所の外底面に仕切壁の垂直下方に位置させて補強片を設けてあり、これらの補強片に切欠部に向かって開口したピン係止孔を穿設している一方、マット本体の四方周縁部における少なくとも互いに平行する縁辺部に上記ピン係止孔に対応させてピン挿通孔を貫設してあり、マット本体の縁辺部に載置した縁枠材の上記ピン係止孔にマット本体の下面からピン挿通孔を通じてピンを挿入、係止させるように構成しているので、マット本体に設けているピン挿通孔に下面側からピンを挿通してマット本体の上面に突出させ、その突出部に縁枠材における隣接する点棒収納凹所間を仕切っている仕切壁を合わせるようにして該仕切壁の垂直下方の補強片に設けているピン係止孔を嵌め込むことにより簡単に縁枠材をマット本体の縁辺部に固定することができ、マット本体から縁枠材が上方に離脱するのを確実に防止することができる。
【００１８】
この際、ピンの頭部をゴム質材よりなるマット本体の下面に該マット本体を圧縮させながら没入させることができるから、マット本体の周縁部がテーブルの上面から浮き上がる虞れもなく、安定した水平状態で展開させておくことができ、また、マット本体の四方周縁部全てにピン挿通孔を設けておくことなく、互いに平行な前後の縁辺部、又は左右の縁辺部にのみ、ピン挿通孔を設けておくことによってマット本体の周縁部に縁枠材を額縁状に強固に装着、一体化させることができる。
【００１９】
【発明の実施の形態】
次に、本発明の具体的な実施の形態を図面について説明すると、図１において麻雀用マットは縁無しのマット本体１と、このマット本体１の四方周縁部にそれぞれ着脱自在に取付けられる一定幅と厚みを有する４本の棒状の縁枠材２とからなり、マット本体１はＳＢＲ（スチレンブタジエンゴム）から形成されていて、その一辺の長さが650mで厚さが3.5mm 程度の平面矩形状に形成されていると共にその上面に薄い布地を一体に貼着してあり、さらに、四方周縁部において、前後または左右に対向する互いに平行な縁辺部に、その辺長方向に一定間隔毎に複数個のピン挿通孔３を上下面間に亘って貫設してなるものである。
【００２０】
一方、各縁枠材２は硬質合成樹脂成形品であって、幅が40mm、高さが20mm程度に形成されてあり、図１、図５に示すように上面部2aと内外壁面部2b、2cを全長に亘って一体に設けてこれらの上面部2aと内外壁面部2b、2cとにより断面逆Ｕ字状に形成されていると共に幅方向の中間部における長さを上記マット本体１の一辺の長さに略等しく形成している。
【００２１】
さらに、縁枠材２の長さ方向の両端面は図１、図７及び図８に示すように、内側壁面部2bから外側壁面部2cに向かって45度の角度でもって外方に傾斜した傾斜端面2d、2eに形成されてあり、上記マット本体１の四方縁辺部において、前後又は左右に互いに平行に配置される２本の縁枠材２、２の傾斜端面2d、2eの中央部には先端に向かって徐々に幅広くなる平面台形状に形成された凸部４、４を突設している一方、他方の２本の縁枠材2'、2'の傾斜端面2d、2eの中央部には、上記凸部４を下面側から係合させる下向きに開口した横断面蟻溝形状の凹部５、５を形成している。
【００２２】
各縁枠材２、2'（以下、単に縁枠材２とする）の上記内側壁面部2bの垂直な内側面は、城壁牌形成時の積牌時や配牌時における牌揃え面６に形成していると共に上面部2aにおける両端部を除く部分に縁枠材２、2'の長さ方向に一定間隔毎に百点棒ａ、千点棒ｂ、五千点棒ｃ、一万点棒ｄの収納凹所7a、7b、7c、7dを仕切壁８を介して順次形成している。これらの収納凹所7a〜7dの底面は図３、図６に示すように、下方に向かって円弧状に湾曲した湾曲面に形成されていて、その湾曲面によって点棒ａ〜ｄを常に縁枠材２の長さ方向、即ち、収納凹所7a〜7dの長さ方向に向けた整列状態で収納させ、点棒の出し入れを円滑に行えるように構成している。
【００２３】
また、各縁枠材２の下面側においては図４に示すように、両側端が内外壁面部2b、2cの対向面に一体に連設している補強片９が縁枠材の長さ方向に一定間隔毎に設けてあり、これらの補強片９において、上記収納凹所7a〜7dの円弧状外底面から垂設している補強片９は収納凹所7a〜7dの仕切壁８を垂直下方に延長させた状態にして設けられている。
【００２４】
さらに、各縁枠材２の下面において、図５〜図８に示すように幅方向の中央部に両端が傾斜端面2d、2eの対向内面に連設した桟部10を内外壁面部2b、2cと平行に設けていると共に、各縁枠材２の内側壁面部2bの下端部を全長に亘ってマット本体１の厚みに相当する高さだけ切欠いてマット本体１の縁辺部を挿入させる切欠部11を形成している。なお、上記補強片９の外側半部分と桟部10とはその下端面を外側壁面部2cの下端面と同一水平面上となるように平滑な水平端面に形成されている。
【００２５】
内側壁面部2bの下端部と共に上記全ての補強片９及び傾斜端面2d、2eの下端部も内側壁面部2bから上記桟部10に達する半部分を同一高さだけ切欠いてあり、従って、各縁枠材２の内側下方部にはマット本体１の縁辺部を受け入れ可能な断面逆Ｌ字状の空間部12が形成されていると共に、この空間部12の奥底側に位置する上記桟部10の内側壁面は全長に亘って切欠部11の開口端に臨んでいてその内側壁面を図３に示すように、マット本体１の端面を受止する当接面13に形成されている。
【００２６】
また、両端傾斜端面2d、2eに凸部４、４を突設している縁枠材２においては、各補強片９における下端部が切り欠かれた内側部に、図４に示すようにその下端面から上方に向かって所定長さのピン係止孔14を穿設している。これらのピン係止孔14はマット本体１における縁辺部に設けられた上記ピン挿通孔３にそれぞれ対応した位置に設けられている。即ち、ピン挿通孔３は縁枠材２の下面に突設している補強片９と同一間隔毎にマット本体１の縁辺部に設けられてあり、マット本体１の端面とピン挿通孔３との間の間隔は、縁枠材２におけるマット本体１の端面を当接させる当接面13とピン係止孔14との間の間隔に略等しく形成している。
【００２７】
なお、ピン係止孔14は、両端傾斜端面2d、2eに凹部５、５を突設している縁枠材２（2'）側の補強片９に設けておいてもよく、さらには、すべての縁枠材２の補強片９に設けておいてもよい。15はマット本体１の下面からピン挿通孔３に挿通して縁枠材２における上記ピン係止孔14に挿入、係止させるためのピンであって、基端には円板形状の頭部15a を一体に設けている。
【００２８】
以上のように構成した麻雀ゲーム用マットは、不使用時にはマット本体１と４本の縁枠材２とを別々にし、４本の縁枠材２を引き揃え状態にしてこれらの縁枠材２の周囲にマット本体１を巻き付けることにより縁枠材２を芯材とするロール形状とし、この状態にして保管或いは携行してもよいが、図10に示すように、予め、マット本体１の前後に対向する互いに平行な縁辺部と、左右に対向する互いに平行な縁辺部とのいずれか一方の互いに平行な縁辺部に、傾斜端面2d、2eに平面台形状の凸部４、４を突設している縁枠材２、２を上記ピン15によって固着しておき、これらの縁枠材２、２を揃えた状態となるようにマット本体１をロール状に巻いておいてもよい。この場合、他の２本の縁枠材はマット本体１に引き揃えておけばよい。
【００２９】
また、マット本体１と４本の縁枠材２とを図11に示すように、布地より縫製された縦長収容袋20内に収納して保管や携行を行うように構成しておいてもよい。この収容袋20はその外周部に麻雀牌21を整列状態で収納した収納箱22を収納する４つの小袋部23と点棒ａ〜ｄやサイコロの収納箱を収納する１つの小袋部23' とを並列状態にして一体に設けてあり、各小袋部23の開口部には蓋片24が開閉自在に設けられている。さらに、収容袋20の開口端は紐状物25の引き締めによって閉止させられるように構成されていると共に収容袋20の外周面には肩掛けベルト26が取付けられている。このように構成した収容袋20を用いると、麻雀牌21もマット本体１及び縁枠材２と共に携行し得るので、別に麻雀牌を準備する必要はなく麻雀ゲームを行うことができる。
【００３０】
次に、使用に際してはまず、マット本体１をテーブル上に載せて展開させると共にこのマット本体１の四方周縁部上に４本の縁枠材２をそれぞれ配設する。この際、マット本体１の前後又は左右縁辺部において、ピン挿通孔３が設けられている縁辺部に、補強片９にピン係止孔14を設けている縁枠材２、２を配設するものであるが、全ての縁枠材２の補強片９にピン係止孔14を設けている場合には、どの縁枠材２をピン挿通孔３側のマット本体１の縁辺部に配設してもよい。
【００３１】
各縁枠材２をマット本体１の四方縁辺部に装着するには、まず、縁枠材２の内側壁面部2bの切欠部11の下面をマット本体１の縁辺部上に載せて該縁枠材２をマット本体１の中心側に移動させることにより切欠部11の奥底側に垂下している桟部10の内側面によって形成している当接面13をマット本体１の端面に当接、受止させる。このようにすると、マット本体１の縁辺部が切欠部11から空間部12内に挿入された状態となると共に縁枠材２がマット本体１に対しての取付位置が設定され、その下面側に設けているピン係止孔14がマット本体１に設けているピン挿通孔３に合致する位置に達すると共に縁枠材２の外側部がマット本体１の端面から外側に突出し且つ外側壁面部2cの下端面がマット本体１の周囲のテーブル面上に載置した状態となる。
【００３２】
しかるのち、互いに直角に隣接する縁枠材２、２の対向傾斜端面2d、2e同士を凸部４と凹部５との係合によって直角に連結する。この際、凸部４と凹部５とは連結した状態においては互いに水平方向に分離不能となるようにそれぞれ平面台形状と蟻溝形状とに形成されているため、突き合わせによる係合が行えないが、凹部５は下向きに開口しているので、凸部４を設けている縁枠材２をマット本体１の縁辺部上に配設した状態で凹部５を設けている縁枠材２をその凹部５が凸部４に被せるようにして下げ降ろすことにより簡単に凸部４と凹部５とを係合、連接させることができる。
【００３３】
こうして、マット本体１の四方周縁部に４本の縁枠材２の連結による額縁形状の縁枠を形成すると、マット本体１の縁辺部がこれらの縁枠材２によって押さえられてマット本体１に巻き癖が生じていても上方に捲りあがることなく下面全面をテーブルの上面に密接させ、マット本体１の上面全面を平坦な水平面に保持しておくことができる。
【００３４】
さらに、マット本体１におけるピン挿通孔３を設けている縁辺部上に配設した縁枠材２、２をピン15によってマット本体１に固定する。即ち、マット本体１の下面側から各ピン挿通孔３にピン15を挿通させてピン挿通孔３と合致している縁枠材２のピン係止孔14に抜き取り可能に挿入、係止させることにより縁枠材２をマット本体１の縁辺部に装着、固定するものである。この際、ピン15の頭部15a によってマット本体１の下面を圧縮、変形させながら該頭部15a がマット本体１内に没入するまでピン15をピン係止孔14に挿入し、マット本体１の縁辺部がテーブルから浮き上がらないようにする。
【００３５】
なお、マット本体１の縁辺部に対するピン15による縁枠材２の固定は、マット本体１から縁枠材２が上方に外れないようにするために行われるものであり、４本の縁枠材２によって形成された額縁形状の縁枠は、各縁枠材２の切欠部11の奥底側に設けている当接面13にマット本体１の四方端面を当接、係止させるように構成してあり、且つ、縁枠材２の外側部がマット本体１の端面から外方に配置されてその外側壁面部2cの下面がテーブル上に密接させていると共にマット本体１の端面を被覆した状態となっているから、縁枠自体はマット本体１に対して水平方向に妄動することはないばかりでなく、縁枠材２を人手によって故意に持ち上げない限り、マット本体１から上方に離脱する虞れがなく、従って、ピン15による固定は必ずしも行う必要もなく、そのため、ピン挿通孔３やピン係止孔14を必ずしも設けておく必要はない。
【００３６】
また、上述したように、マット本体１の四方周縁部において、予め、前後又は左右に対向する互いに平行な縁辺部に、長さ方向の両側端傾斜端面2d、2eに平面台形状の凸部４、４を突設している縁枠材２、２を固着しているので、両側端傾斜端面2d、2eに下向きに開口した横断面蟻溝形状の凹部５、５を形成している他方の２本の縁枠材2'、2'を上記縁枠材２、２に連結させることによって円滑且つ迅速にマット本体１の四方周縁部に縁枠材２を装着した状態にすることができる。
【００３７】
このようにマット本体１の四方周縁部に縁枠材２を装着したのち、ゲームを開始する。まず、各自の座位の風を決めてそれぞれの風位に座すと共に各自の手前側の縁枠材２の上面に設けている点棒収納凹所7a〜7dに図９に示すように、百点棒ａ、千点棒ｂ、五千点棒ｃ、一万点棒ｄをそれぞれの持点となるように分配、収納する。しかるのち、マット本体１上で洗牌しながら２段積みを行って城壁牌を形成し、サイコロを振って親を決めたのち、配牌を行って通常通りゲームを開始するものである。
【００３８】
この際、縁枠材２は四方にゴム製縁枠部を一体に設けている該縁枠部よりも高さが高く、且つその内側面を垂直な牌揃え面６に形成しているから、城壁牌や配牌をその牌揃え面６に当接、受止させることにより、牌揃えが正確且つ迅速に行えるものである。
【００３９】
さらに、点棒ａ〜ｄは各自の手前の縁枠材２に設けてられている収納凹所7a〜7dにそれぞれ整頓された状態で収納しているので、一目で持ち点数を確認し得ると共にゲーム終了後における点棒の受け渡しが円滑に且つ間違いが生じることなく行うことができるものである。なお、上記各縁枠材２はその長さ方向の中央部から連結可能なように２分割した形状としておいてもよく、要するに、長さがマット本体１の一辺の長さに等しくなるように形成しておけばよい。また、マット本体１はＳＢＲ以外の適宜なゴム質材料によって形成しておいてもよい。
【図面の簡単な説明】
【図１】マット本体と４本の縁枠材との分割斜視図。
【図２】マット本体の四方周縁部に縁枠材を装着した状態の平面図。
【図３】その簡略縦断面図。
【図４】ピン挿通孔とピン係止孔間にピンを挿入、係止させた状態の一部拡大断面図。
【図５】縁枠材における点棒収納凹所を設けていない部分の縦断面図。
【図６】縁枠材における点棒収納凹所を設けている部分の縦断面図。
【図７】縁枠材の対向端面部分の下面図。
【図８】縁枠材を直角に連結した状態の一部の下面図。
【図９】点棒収納凹所内に点棒を収納した状態の全体の斜視図。
【図１０】２本の縁枠材をマット本体に固定し他の縁枠材を分離させたマットの斜視図。
【図１１】マット本体と縁枠材とを収容袋内に収めた状態の斜視図。
【符号の説明】
１  マット本体
２  縁枠材
３  ピン挿通孔
４  凸部
５  凹部
7a〜7d  展望収納凹所
８  仕切壁
９  補強片
11  切欠部
13  当接面
14  ピン係止孔
15  ピン
【図１】
0004831886.tif 000002
【図２】
0004831886.tif 000003
【図３】
0004831886.tif 000004
【図４】
0004831886.tif 000005
【図５】
0004831886.tif 000006
【図６】
0004831886.tif 000007
【図７】
0004831886.tif 000008
【図８】
0004831886.tif 000009
【図９】
0004831886.tif 000010
【図１０】
0004831886.tif 000011
【図１１】
0004831886.tif 000012